(57)【要約】【課題】良好なシール性を得る。【解決手段】リール本体１に設けられ、リール構成要素を支持する支軸と、支軸周りに配置された軸周り部材と、を備え、支軸と軸周り部材との一方が他方に対して支軸の軸周りに回転するように設けられた魚釣用リールであって、軸周り部材に取り付けられ、支軸に向けて延設されるリップ部３３を有するシール部材３０を備え、リップ部３３は、支軸の軸方向に膨出しており、支軸の周面に弾接する構成とした。【選択図】図２
2014124155.tif 000002
【特許請求の範囲】
【請求項１】
リール本体に設けられ、リール構成要素を支持する支軸と、
前記支軸周りに配置された軸周り部材と、を備え、前記支軸と前記軸周り部材との一方が他方に対して前記支軸の軸周りに回転するように設けられた魚釣用リールであって、
前記軸周り部材に取り付けられ、前記支軸に向けて延設されるリップ部を有するシール部材を備え、
前記リップ部は、前記支軸の軸方向に膨出しており、前記支軸の周面に弾接することを特徴とする魚釣用リール。
【請求項２】
前記リップ部は、前記リール本体の内方へ向けて凹状に湾曲していることを特徴とする請求項１に記載の魚釣用リール。
【請求項３】
前記シール部材は、前記軸周り部材に取り付けられる取付部と、前記取付部から延出される延出部と、を備え、前記延出部に連続して前記リップ部が設けられていることを特徴とする請求項１または請求項２に記載の魚釣用リール。
【請求項４】
前記支軸はハンドル軸であり、前記軸周り部材は前記ハンドル軸の周りに配置されたハウジングであり、
前記シール部材は前記ハウジングに取り付けられ、前記リップ部は前記ハンドル軸の周面に弾接することを特徴とする請求項１に記載の魚釣用リール。
【請求項５】
前記支軸は前記リール本体の前後方向に往復動するスプール軸であり、前記軸周り部材は前記スプール軸に回転自在に取り付けられたピニオンであり、
前記シール部材は前記ピニオンに取り付けられ、前記リップ部は前記スプール軸の周面に弾接することを特徴とする請求項１に記載の魚釣用リール。
【発明の詳細な説明】
【技術分野】
【０００１】
本発明は、魚釣用リールに関し、詳細には、軸受け部の防水機構に特徴を有する魚釣用リールに関する。
【背景技術】
【０００２】
一般に、魚釣用リールとして知られる魚釣用スピニングリールは、リール本体と、リール本体に取り付けられて釣糸が巻回されるスプールとを備えている。リール本体には、スプールに釣糸を巻き取るために操作されるハンドルが回転可能に支持されている。そして、このハンドルは、通常、釣人が握持するツマミ部と、リール本体の巻き取り駆動機構の一部であるハンドル軸に連結される連結部と、この連結部とツマミ部とを繋ぐアーム部とによって構成されている。
ハンドルの連結部は、例えば、ねじの締め付けを利用した螺合構造や回り止め構造によってリール本体のハンドル軸に取り付けられる。
【０００３】
一方、魚釣用リールは、海水、水、ゴミなどの異物が付着浸入し易い、厳しい環境の釣場で使用されることが多い。仮にリール本体内へ海水、水、異物等が浸入すると、リ−ル本体内部のグリス等を変質させてしまうおそれがあり、支軸の回転に影響を及ぼすおそれがあった。
このような海水、水、異物等の浸入を防止する技術として、ハンドル軸とリール本体のハウジングとの間にシール部材を配設するものが知られている（例えば特許文献１参照）。
なお、このようなシール部材を用いた防水技術は、リール本体の他の軸受部分にも採用することができる。
【先行技術文献】
【特許文献】
【０００４】
【特許文献１】特許第３５０２２９１号公報
【発明の概要】
【発明が解決しようとする課題】
【０００５】
前記特許文献１では、シール部材を配設することにより、海水、水、異物等の浸入を防止しているが、部材間の隙間や芯ずれ等の影響により、シール部材の接触作用による防水性能が安定しない等の課題があった。
【０００６】
本発明は、前記課題を解決するためになされたものであり、良好なシール性を得ることができる魚釣用リールを提供することを課題とする。
【課題を解決するための手段】
【０００７】
このような課題を解決する本発明の魚釣用リールは、リール本体に設けられ、リール構成要素を支持する支軸と、前記支軸周りに配置された軸周り部材と、を備え、前記支軸と前記軸周り部材との一方が他方に対して前記支軸の軸周りに回転するように設けられた魚釣用リールであって、前記軸周り部材に取り付けられ、前記支軸に向けて延設されるリップ部を有するシール部材を備え、前記リップ部は、前記支軸の軸方向に膨出しており、前記支軸の周面に弾接することを特徴とする。
ここで、前記「膨出」には、支軸の軸方向に湾曲する形状のもの、支軸の軸方向に屈曲する形状のもの、支軸の軸方向に部分的に張り出す形状のものが含まれる。
【０００８】
この魚釣用リールによれば、支軸と軸周り部材との一方が他方に対して支軸の軸周りに回転する構成において、支軸の周面にリップ部を好適に弾接させることができ、軸周り部材と支軸との間をシール部材で好適にシールすることができる。
【０００９】
また、本発明は、「前記リップ部は、前記リール本体の内方へ向けて凹状に湾曲している」ことを特徴とする。
【００１０】
この魚釣用リールによれば、凹状に湾曲された面でリール本体内に向けて浸入しようとする海水、水、異物等を受けとめることができる。つまり、リップ部の先端部が軸方向の外方（リール本体の外方）に向かって支軸の周面に弾接して密着する。
【００１１】
また、本発明は、「前記シール部材は、前記軸周り部材に取り付けられる取付部と、前記取付部から延出される延出部と、を備え、前記延出部に連続して前記リップ部が設けられている」ことを特徴とする。
【００１２】
この魚釣用リールによれば、延出部を含めてリップ部が弾性変形するようになり、支軸の周面にリップ部をより好適に弾接させることができる。
【００１３】
また、本発明は、「前記支軸はハンドル軸であり、前記軸周り部材は前記ハンドル軸の周りに配置されたハウジングであり、前記シール部材は前記ハウジングに取り付けられ、前記リップ部は前記ハンドル軸の周面に弾接する」ことを特徴とする。
【００１４】
この魚釣用リールによれば、回転操作されるハンドル軸の周面にリップ部が弾接し、ハウジングとハンドル軸との間がシール部材により好適にシールされることとなる。
【００１５】
また、本発明は、「前記支軸は前記リール本体の前後方向に往復動するスプール軸であり、前記軸周り部材は前記スプール軸に回転自在に取り付けられたピニオンであり、前記シール部材は前記ピニオンに取り付けられ、前記リップ部は前記スプール軸の周面に弾接する」ことを特徴とする。
【００１６】
この魚釣用リールによれば、リール本体に進退動自在に支持されたスプール軸の周面にリップ部が弾接し、ピニオンとスプール軸との間がシール部材により好適にシールされることとなる。
【発明の効果】
【００１７】
本発明によれば、支軸の周面にリップ部を弾性的に接触させる（弾接させる）ことができるので、リール本体内へ海水、水、塵埃等が浸入するのをシール部材によって好適に阻止することができ、高いシール性（防水防塵性能）を確保することができる。これによって、長期間にわたって安定した回転動作を維持することができ、耐久性に優れ、信頼性に優れた魚釣用リールが得られる。
また、ハンドル軸の周面にシール部材のリップ部が弾接するので、仮に、支軸と軸周り部材との間に芯ずれが生じていたとしても、これを吸収することができ、防水防塵性能を安定化することができる。
【００１８】
また、リップ部がリール本体の内方へ向けて凹状に湾曲している構成では、凹状に湾曲された面でリール本体内に向けて浸入しようとする海水等を受けとめることができるので、リール本体内へ海水、水、塵埃等が浸入するのをより好適に阻止することができ、高い防水防塵性能を確保することができる。したがって、より一層、耐久性、信頼性の向上を図ることができる魚釣用リールが得られる。
【００１９】
また、取付部から延出される延出部に連続してリップ部が設けられている構成では、支軸の周面にリップ部をより好適に弾接させることができるので、リール本体内へ海水、水、塵埃等が浸入するのをより好適に阻止することができ、より高い防水防塵性能を確保することができる。
【００２０】
また、シール部材がハウジングに取り付けられ、リップ部がハンドル軸の周面に弾接する構成では、ハウジングとハンドル軸との間がシール部材により好適にシールされることとなるので、これらの間を通じてリール本体内へ海水、水、塵埃等が浸入するのを好適に阻止することができ、高い防水防塵性能を確保することができる。
【００２１】
また、シール部材がピニオンに取り付けられ、リップ部がスプール軸の周面に弾接する構成では、ピニオンとスプール軸との間がシール部材により好適にシールされることとなるので、これらの間を通じてリール本体内へ海水、水、塵埃等が浸入するのを好適に阻止することができ、高い防水防塵性能を確保することができる。
【図面の簡単な説明】
【００２２】
【図１】本発明の第１実施形態に係る魚釣用リールとしての魚釣用スピニングリールの全体構成を示す図である。
【図２】図１に示す魚釣用スピニングリールを後方側から見た部分断面図である。
【図３】（ａ）はシールされる部分の拡大断面図、（ｂ）はシール部材の拡大断面図、（ｃ）はハンドル軸、シール部材、ハウジングの分解断面図である。
【図４】本発明の第２実施形態に係る魚釣用リールとしての魚釣用スピニングリールを示す図であり、（ａ）はシールされる部分の拡大断面図、（ｂ）はハンドル軸、シール部材、ハウジングの分解断面図である。
【図５】本発明の第３実施形態に係る魚釣用リールとしての魚釣用スピニングリールの全体構成を示す図である。
【図６】（ａ）はシールされる部分の拡大断面図、（ｂ）はシール部材の拡大断面図、（ｃ）はスプール軸、シール部材の分解断面図である。
【発明を実施するための形態】
【００２３】
以下、本発明に係る魚釣用スピニングリールの実施形態について図面を参照しながら説明する。なお、以下の説明において、「前後」「上下」を言うときは、図１に示した方向を基準とし、「左右」を言うときは、図２に示した方向を基準とする。また、各実施形態において、同様の部分には同一の符号を付し重複した説明は省略する。
【００２４】
（第１実施形態）
図１に示すように、本実施形態の魚釣用リールは、魚釣用スピニングリールとして形成してあり、魚釣用スピニングリールは、図示しない釣竿に装着するための脚部１ａが形成されたリール本体１と、リール本体１の前方に回転可能に設けられたロータ２と、ロータ２の回転運動と同期して前後方向に往復動可能に設けられたスプール３とを備えている。
【００２５】
図２に示すように、リール本体１には、軸受４ａ，４ａを介してリール構成要素を支持する支軸としてのハンドル軸４が回転可能に支持されており、その突出端部には、巻き取り操作されるハンドル（リール構成要素）５が取り付けられている。
ハンドル軸４には、ロータ２を巻き取り駆動するための内歯６ａが形成された駆動機構を構成するドライブギャ６が一体的に固定されている。なお、ドライブギャ６は、ハンドル軸４に一体形成されていてもよい。
【００２６】
ドライブギャ６には、図１に示すように、ピニオン８のピニオンギャ８ａが噛合している。ピニオン８は、ハンドル軸４と直交する前後方向に延出しており、その前端部において、ナット９ａを介してロータ２がピニオン８に取り付けられている。また、ピニオン８には、その中間部分に転がり式の一方向クラッチ８ｆが取り付けられており、ハンドル５（ロータ２）の逆転方向の回転（釣糸放出方向の回転）が防止されるようになっている。
ピニオン８は、内部に軸方向に延出する空洞部を有しており、この空洞部には、スプール３を支持するスプール軸９が挿通されている。スプール軸９の後端には、公知のオシレーティング機構１０が係合されている。
【００２７】
オシレーティング機構１０は、スプール軸９と平行に延出するウォームシャフト１０ａと、このウォームシャフト１０ａの外周面に形成された螺旋溝１０ｂに係合する係合ピン１０ｃを有してスプール軸９の後端部にねじ止めして取り付けられた摺動体１０ｄと、リール本体１の内壁に設けられて摺動体１０ｄと係合し、摺動体１０ｄの往復動を案内するガイド１０ｅと、を含んで構成される。
スプール軸９は、このようなオシレーティング機構１０により、ハンドル５の巻き取り操作に伴って前後方向に往復駆動（進退動）される。
【００２８】
ロータ２は、スプール３のスカート部３ａ内に位置する円筒部２ａと、一対のアーム部２ｂ（図１では一方のみ図示）を具備している。各アーム部２ｂの前端部には、ベール支持部材２ｃが釣糸巻取位置と釣糸放出位置との間で回動自在に支持されており、これらのベール支持部材２ｃ間には、放出状態にある図示しない釣糸をピックアップするためのベール２ｄが配設されている。ベール２ｄは、一方の基端部がベール支持部材２ｃに一体的に設けられた釣糸案内部２ｅに取り付けられており、他方の基端部がベール支持部材２ｃの先端部に取り付けられている。
【００２９】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ３ｄを回動操作することでスプール３のドラグ力が調節される。なお、ドラグ機構は必ずしも設けなくてもよい。
【００３０】
このような構成において、ハンドル５を巻き取り操作すると、ハンドル軸４、ドライブギャ６、およびピニオンギャ８ａを介してロータ２が回転駆動されるとともに、スプール３がオシレーティング機構１０を介して前後方向に往復駆動され、釣糸が、釣糸案内部２ｅ（ベール２ｄ）を介してスプール３（釣糸巻回胴部３ｃ）に均等に巻き付けられる。
なお、釣糸を放出する場合には、ベール支持部材２ｃを、図１に示す釣糸巻取位置から図示しない釣糸放出位置に反転操作し、釣糸を釣糸案内部２ｅから外すとともに図示しない釣竿を振り下ろす操作を行う。これにより、スプール３から釣糸が放出される。
【００３１】
次に、ハンドル軸４の周りの構造について図２，図３を参照して具体的に説明する。
ハンドル軸４は、前記したように、一対の軸受４ａを介して回転可能に支持されており、ハンドル軸４の両側には、ハンドル５の後記する連結軸５１が螺合により着脱可能に装着されるようになっている。ここで、ハンドル５が装着されない側のハンドル軸４の端部は、リール本体１に対応して形成される取付開口１ｂ（図２参照）にキャップ（閉塞部材）７を被着することで閉塞された状態になる。すなわち、ハンドル５は、リール本体１の左右いずれの側にも装着可能となっている（ハンドル軸４に対する着脱によってハンドル５をリール本体１の左右で付け替え可能となっている）。
【００３２】
なお、左右両端部におけるハンドル軸４の構造、およびハンドル軸４の左右両端部周りにおけるリール本体１のハウジング構造は、左右で略同様の構造となっているので、以下では、図２，３に示すように、ハンドル軸４の右端部の構造、およびハンドル軸４の右端部周りにおけるリール本体１のハウジング構造を例にとって説明し、リール本体１の右側に（ハンドル軸４の右端部に）ハンドル５が装着される例について説明する。
【００３３】
ハンドル５は、ドライブギャ６を回転駆動すべくハンドル軸４に連結される連結軸５１と、この連結軸５１に接続されるアーム部５２と、アーム部５２に取り付けられ、釣人が握持するツマミ部５３とを備えている。連結軸５１の端部には、図２に示すように、大径雄ねじ部５１ａと小径雄ねじ部５１ｂとが形成されている。
【００３４】
ハンドル５のアーム部５２は、連結軸５１と一体回転するよう構成されており、連結軸５１には、ハンドルスタンド５４が装着されている。ハンドルスタンド５４は、リール本体１のハウジング１１に向けて拡径されたスカート部５４ａを有している。ツマミ部５３は、アーム部５２の先端部分に回転可能に設けられている。なお、アーム部５２は、公知の折り畳み機構によって、ハンドルスタンド５４に対して折り畳みできるように構成されていてもよい。
【００３５】
このようなハンドル５が装着されるハンドル軸４は、左右両端部が円筒状に構成されている。図３（ａ）に示すように、右端部４１の内穴の内周面には、その開口端部から順に大径部４ｂと、小径雌ねじ部４ｃ（図２参照）とが形成されている。大径部４ｂは雌ねじを有しておらず、その内側には、ハンドル５の連結軸５１の大径雄ねじ部５１ａが挿通配置されるようになっている。小径雌ねじ部４ｃには、図２に示すように、ハンドル５の連結軸５１の小径雄ねじ部５１ｂが螺合可能である。
なお、ハンドル軸４の左端部４２の内穴の内周面には、その開口端部から順に、ハンドル５の連結軸５１の大径雄ねじ部５１ａが螺合可能な図示しない大径雌ねじ部と、ハンドル５の連結軸５１の小径雄ねじ部５１ｂが内側に挿通配置可能な図示しない小径部（雌ねじを有さない小径部）とが形成されている。
【００３６】
ハンドル軸４の右端部４１は、図３（ａ）に示すように、リール本体１の側方に張り出すように形成されたハウジング（軸周り部材）１１の円筒部１２よりもリール本体１の側方（右側方）へ延出（突出）している。右端部４１の端面４１ａには、ハンドル軸４にハンドル５を装着した状態（螺合した状態）で、ハンドル５のハンドルスタンド５４の端部５５ａが当接するようになっている。円筒部１２の外周には、周溝１１ａが形成されており、この周溝１１ａには、ハンドルスタンド５４のスカート部５４ａの延出端５４ｂが非接触状態で挿入配置されるようになっている。これにより、海水等が浸入し難くなっている。
【００３７】
円筒部１２の先端部には、円環状を呈し、弾力性を有するシール部材３０が取り付けられている。シール部材３０の材料としては、例えば、ニトリルゴム（ＮＢＲ）、シリコーンゴム、アクリルゴム、スチレンブタジエンゴム（ＳＢＲ）、ウレタンゴム、およびブタジエンゴム等の合成ゴム、または天然ゴム等のゴム系材料のいずれかを用いることができる。シール部材３０は、円筒部１２とハンドル軸４との間をシールする役割をなし、図３（ｂ）に示すように、円筒部１２に取り付けられる取付部３１と、円筒部１２の側方へ向けて取付部３１から延出される延出部３２と、延出部３２からハンドル軸４に向けて延設されるリップ部３３と、を備えている。
【００３８】
取付部３１の基端部には、円筒部１２の外周面に形成された周溝１２ａに嵌合する周リブ３１ａが形成されている。取付部３１は、周溝１２ａに周リブ３１ａを嵌合させた状態で、その内周面が弾力性により円筒部１２の外周面に密着するようになっており、これによって、円筒部１２に対するシール部材３０の位置ずれが防止されている。
延出部３２は、取付部３１に連続して設けられており、ハンドル軸４の軸方向に沿って円筒部１２の側方へ延出している。
【００３９】
リップ部３３は、延出部３２の延出端からハンドル軸４側に向けて折り返された折返し部３３ａと、折返し部３３ａに連続して湾曲形成された湾曲部３３ｂとを備えている（図３（ｃ）参照）。湾曲部３３ｂは、ハンドル軸４の軸方向に沿ってリール本体１の内方へ向けて凹状に湾曲しており、その先端部３３ｂ１が、ハンドル軸４の周面に弾接するようになっている。
ここで、湾曲部３３ｂは、ハンドル軸４の軸線を法線とする面のうち、先端部３３ｂ１の接触点（作用点Ｂ１）を通る面を基準面Ｌ１としたときに、この基準面Ｌ１よりも左側に（リール本体１の内方に）膨出して湾曲する形状とされている。本実施形態では、湾曲部３３ｂの少なくとも一部の外面３３ｂ２が、基準面Ｌ１よりもリール本体１の内方に位置しており、リール本体１の内方へ向けて湾曲状に凹んだ形状とされている。
【００４０】
また、湾曲部３３ｂは、基端部３３ｂ３の肉厚ｔ３よりもリール本体１の内方に向けて湾曲する中間部分の肉厚ｔ４が薄く形成されており、さらに、この中間部分よりも先端部３３ｂ１に向けて肉厚が漸次薄くなるように形成されている。また、湾曲部３３ｂは、取付部３１（延出部３２）の肉厚ｔ１や折返し部３３ａの肉厚ｔ２よりも、全体的に薄肉に形成されている。これにより、湾曲部３３ｂは、取付部３１側に比べて撓みやすく（変形しやすく）なっており、ハンドル軸４の周面に対する弾接が好適に確保されている。
【００４１】
折返し部３３ａは、円筒部１２の先端面との間に隙間Ｓ２を有して配置されており、また、湾曲部３３ｂの基端部３３ｂ３も円筒部１２の先端部との間に若干の隙間を有して配置されている。
つまり、シール部材３０は、隙間Ｓ２等を有する分、柔軟に変形することが可能となっている。これにより、シール部材３０は、延出部３２、折返し部３３ａおよび湾曲部３３ｂの有する弾力性を利用しつつ、延出部３２と折返し部３３ａとの角部Ａ１や、折返し部３３ａと湾曲部３３ｂとの角部Ａ２等を支点として、先端部３３ｂ１（リップ部３３）がハンドル軸４の周面に好適に弾接することが可能となっている。
【００４２】
なお、折返し部３３ａを円筒部１２の先端面に対して当接させて配置してもよいし、湾曲部３３ｂの基端部３３ｂ３を円筒部１２の先端部に対して当接させて配置してもよい。折返し部３３ａを円筒部１２の先端面に当接させて配置することにより、円筒部１２に対するシール部材３０の取付面積（接触面積）が大きくなり、さらには、湾曲部３３ｂの基端部３３ｂ３を円筒部１２の先端部に当接させて配置することにより、円筒部１２に対するシール部材３０の取付面積（接触面積）をより大きくすることができる。これにより、円筒部１２の先端部周りの狭いスペースにおいて、より大きな取付面積（接触面積）を確保しつつシール部材３０を円筒部１２に装着することができる。
また、湾曲部３３ｂの基端部３３ｂ３を円筒部１２の先端部に当接させて配置することにより、ハンドル軸４の径方向に湾曲部３３ｂが拡がるのを規制することができるので、このように構成しない場合に比べて、湾曲部３３ｂの先端部３３ｂ１をハンドル軸４の周面に、より強く弾接させることができる。
【００４３】
以上説明した本実施形態の魚釣用リールによれば、ハンドル軸４の周面にシール部材３０のリップ部３３（主として先端部３３ｂ１）を弾接させることができ、ハンドル軸４の周面にリップ部３３を密着させることができるので、リール本体１内へ海水、水、塵埃等が浸入するのをシール部材３０によって好適に阻止することができる。これによって、高い防水防塵性能を確保することができる。したがって、長期間にわたって安定した回転動作を維持することができ、耐久性に優れ、信頼性に優れた魚釣用スピニングリールが得られる。
また、ハンドル軸４の周面にシール部材３０のリップ部３３（主として先端部３３ｂ１）が弾接するので、仮に、ハンドル軸４とハウジング１１との間に芯ずれが生じていたとしても、これを湾曲部３３ｂの径方向の変形により好適に吸収することができ、防水防塵性能を安定化することができる。
この場合、ハンドル軸４とハウジング１１（円筒部１２）との間は、軸受４ａ（図２参照）が介在しているだけであるので、シール部材３０に関わる介在部品が少なく、これらの間に芯ずれが生じ難くなっており、湾曲部３３ｂを有するリップ部３３の弾力性と相俟って高い防水防塵性能を発揮することができる。
【００４４】
また、シール部材３０は、断面略コ字状の取付空間Ｋ２（図３（ｃ）参照）を利用して円筒部１２に抱き付かせるように取り付けられるので、着脱が簡単であるとともに、円筒部１２から脱落し難い。
【００４５】
また、リール本体１側に備わるハンドル軸４に対してリップ部３３を直接接触させる構造であるので、構造がシンプルであるにもかかわらず、高い防水防塵性能を確保することができる。
【００４６】
また、リップ部３３（湾曲部３３ｂ）がリール本体１の内方へ向けて凹状に湾曲しているので、凹状に湾曲された面（リール本体１の側方に面する外面３３ｂ２）でリール本体１内に向けて浸入しようとする海水等を受けとめることができる。これにより、リール本体１内へ海水、水、塵埃等が浸入するのをより好適に阻止することができ、高い防水防塵性能を確保することがでる。したがって、より一層、耐久性、信頼性の向上を図ることができる魚釣用スピニングリールが得られる。
【００４７】
また、シール部材３０は、取付部３１から延出される延出部３２に連続してリップ部３３が設けられているので、ハンドル軸４の周面にリップ部３３（先端部３３ｂ１）をより好適に弾接させることができる。これにより、リール本体１内へ海水、水、塵埃等が浸入するのをより好適に阻止することができ、より高い防水防塵性能を確保することができる。
【００４８】
（第２実施形態）
図４を参照して第２実施形態の魚釣用リールについて説明する。
本実施形態は、ハンドル軸４に対するハンドル５の取付構造が第１実施形態のものと異なっており、シール部材３０がハウジング１１の円筒部１２とハンドル５のハンドルスタンド５４との間に配設されている。なお、シール部材３０は、第１実施形態のものと同様である。また、左右両端部におけるハンドル軸４の構造、およびハンドル軸４の左右両端部周りにおけるリール本体１のハウジング構造は、左右で略同様の構造となっているので、以下では、図４に示すように、ハンドル軸４の右端部の構造、およびハンドル軸４の右端部周りにおけるリール本体１のハウジング構造を例にとって説明し、リール本体１の右側に（ハンドル軸４の右端部に）ハンドル５が装着される例について説明する。
【００４９】
図４（ａ）に示すように、ハンドルスタンド５４は、スカート部５４ａの内側に連結部の役割をなす円筒状の軸部５６を有している。軸部５６の内孔の内周面には、その開口端部から順に大径雌ねじ部５６ａと小径雌ねじ部５６ｂとが形成されている（図４（ｂ）参照）。
一方、ハンドル軸４の右側大径端部４４ａの外周面には、軸部５６の大径雌ねじ部５６ａと螺合可能な大径雄ねじ部４４が形成されるとともに、ハンドル軸４の図示しない左側大径端部の外周面には、軸部５６の小径雌ねじ部５６ｂと螺合可能な図示しない小径雄ねじ部が形成されている。
【００５０】
シール部材３０は、ハウジング１１の円筒部１２と、ハンドル５のハンドルスタンド５４の軸部５６との間に配設されている。つまり、リップ部３３の湾曲部３３ｂの先端部３３ｂ１が軸部５６の周面に弾接するようになっている。
【００５１】
このような魚釣用リールによっても、第１実施形態で説明した作用効果と同様の作用効果が得られる。すなわち、軸部５６の周面にシール部材３０のリップ部３３（主として先端部３３ｂ１）を弾接させることができ、軸部５６の周面にリップ部３３を密着させることができるので、リール本体１内へ海水、水、塵埃等が浸入するのを好適に阻止することができ、高い防水防塵性能を確保することができる。これによって、長期間にわたって安定した回転動作を維持することができ、耐久性に優れ、信頼性に優れた魚釣用リールが得られる。
【００５２】
また、リップ部３３がハンドルスタンド５４の軸部５６に弾接する構造であるので、ハンドルスタンド５４内において防水防塵構造を完結することができ、リール本体１内へ海水、水、塵埃等が浸入するのを好適に阻止して高い防水防塵性能を発揮することができる。
【００５３】
（第３実施形態）
図５，図６を参照して第３実施形態の魚釣用リールについて説明する。
本実施形態が前記第１，第２実施形態と異なるところは、ピニオン（軸周り部材）８とスプール軸（支軸）９との間をシール部材３０Ａでシールするように構成した点である。なお、スプール軸９に支持されるリール構成要素は、ロータ２やスプール３である。
【００５４】
シール部材３０Ａは、図６（ａ）に示すように、ピニオン８の先端部８ｂに取り付けられる取付部３１と、ピニオン８の前方へ向けて取付部３１から延出される延出部３２と、延出部３２からスプール軸９に向けて延設されるリップ部３３と、を備えている。なお、シール部材３０Ａのリップ部３３は、第１実施形態で説明した折返し部３３ａを有しておらず、湾曲部３３ｂのみで構成されて簡略化された構成となっている。なお、前記と同様の折返し部３３ａをリップ部３３に設けてもよい。
【００５５】
取付部３１の基端部には、図６（ａ）（ｂ）に示すように、ピニオン８の外周面に形成された周溝８ｃに嵌合する周リブ３１ａが形成されている。取付部３１は、周溝８ｃに周リブ３１ａを嵌合させた状態で、その内周面が弾力性によりピニオン８の先端部８ｂの外周面に密着するようになっており、これによって先端部８ｂに対するシール部材３０Ａの位置ずれが防止されている。
延出部３２は、取付部３１に連続して設けられており、スプール軸９の軸方向に沿ってピニオン８の前方へ延出している。
【００５６】
リップ部３３（湾曲部３３ｂ）は、延出部３２の延出端からスプール軸９側に向けて延出しており、スプール軸９の軸方向に沿ってリール本体１の内方（後方）へ向けて凹状に湾曲している。リップ部３３の先端部３３ｂ１は、略球状とされており、リップ部３３の弾力性によりスプール軸９の周面に弾接するようになっている。これにより、スプール軸９に対するリップ部３３の追従性が高められている。
ここで、リップ部３３は、スプール軸９の軸線を法線とする面のうち、先端部３３ｂ１の接触点（作用点Ｂ２）を通る面を基準面Ｌ２としたときに、この基準面Ｌ２よりも後側に（リール本体１の内方に）向けて凹状に湾曲する形状とされている。本実施形態では、リップ部３３の少なくとも一部の外面（凹面）３３ｂ２が、基準面Ｌ２よりもリール本体１の内方（後方）に位置しており、リール本体１の内方（後方）へ向けて湾曲状に凹んだ形状とされている。なお、本実施形態では、基準面Ｌ２上に、リップ部３３の支点となる延出部３２とリップ部３３との角部Ａ３が位置している。つまり、リップ部３３（湾曲部３３ｂ）の少なくとも一部の外面（凹面）３３ｂ２が、作用点Ｂ２と角部Ａ３（支点）とを結ぶ直線（基準面Ｌ２）よりもリール本体１の内方（後方）に位置している。
【００５７】
また、リップ部３３の肉厚ｔ１２は、取付部３１の周リブ３１ａの肉厚ｔ０１や取付部３１（延出部３２）の肉厚ｔ１１よりも、全体的に薄肉に形成されている。
【００５８】
また、リップ部３３は、ピニオン８の先端面８２との間に隙間Ｓ３を有して配置されている。なお、先端面８２の側方は、面取り（傾斜面８１，８３）されており、隙間Ｓ３が好適に確保されている。これにより、シール部材３０Ａ（リップ部３３）の追従性が高められている。
特に、スプール軸９はリール本体１の前後方向に往復動する部材であり、かつピニオン８は、スプール軸９周りに回転する部材であるので、これら２つの異なる動作に対してリップ部３３を好適に追従させてスプール軸９に弾接させることができる。
つまり、シール部材３０Ａは、前記隙間Ｓ３を有する分、柔軟に変形することが可能であり、延出部３２およびリップ部３３の有する弾力性を利用しつつ、延出部３２とリップ部３３との角部Ａ３等を支点として、リップ部３３がスプール軸９の周面に弾接可能である。
【００５９】
なお、リップ部３３をピニオン８の先端部に当接させて配置してもよい。このように配置することにより、ピニオン８に対するシール部材３０Ａの取付面積（接触面積）を大きくすることができ、シール部材３０Ａの取付安定化を図ることができる。
【００６０】
このような魚釣用リールによっても、第１，第２実施形態で説明した作用効果と同様の作用効果が得られる。すなわち、スプール軸９の周面にシール部材３０Ａのリップ部３３（主として先端部３３ｂ１）を弾接させることができ、スプール軸９の周面にリップ部３３を密着させることができるので、リール本体１内へ海水、水、塵埃等が浸入するのを好適に阻止することができ、高い防水防塵性能を確保することができる。これによって、長期間にわたって安定した回転動作を維持することができ、耐久性に優れ、信頼性に優れた魚釣用リールが得られる。
【００６１】
特に、リップ部３３の弾性によりスプール軸９をレスポンスよく円滑に移動させることができるので、良好なスプール軸９の進退動作を確保することができ、スプール軸９に取り付けられるスプール３への釣糸の良好な巻き付けが実現される。このことは、釣糸の良好な送り出しにも寄与する。
【００６２】
また、スプール軸９の良好な進退動作を確保することができるので、スプール軸９の進退動長さを長く設定することができ、釣糸巻回胴部３ｃを進退動方向に長く形成することができる。これにより釣糸巻回胴部３ｃの浅溝化が可能となる。
【００６３】
前記各実施形態では、リップ部３３がリール本体１の内方へ向けて凹状に湾曲しているものを示したが、これに限られることはなく、リール本体１の外方へ向けて凹状（突状）に湾曲形成してもよい。
また、第１，第２実施形態において、リップ部３３の先端部３３ｂ１を球状に形成してもよい。
また、リップ部３３がリール本体１の内方へ向けて凹状に湾曲しているものにおいて、リップ部３３の湾曲形状は、少なくとも一部の外面３３ｂ２が基準面Ｌ１（Ｌ２）よりもリール本体１の内方に位置していればよく、任意の形状とすることができる。
なお、リップ部３３がリール本体１の外方へ向けて凹状に湾曲しているものにおいて、リップ部３３の湾曲形状は、少なくとも一部の内面（外面３３ｂ２と反対側の面）が基準面Ｌ１（Ｌ２）よりもリール本体１の外方に位置していればよい。
【００６４】
また、前記実施形態では、「膨出」する例として、ハンドル軸４等の軸方向に湾曲する形状のものを示したが、これに限られることはなく、ハンドル軸４等の軸方向に屈曲する形状のもの、ハンドル軸４等の軸方向に部分的に張り出す形状のものであってもよい。
【００６５】
前記実施形態では、ハンドル軸４とハウジング１１との間にシール部材３０を配設した例、スプール軸９とピニオン８との間にシール部材３０Ａを配設した例を示したが、これに限られることはなく、他の支軸と軸周り部材との間に対してシール部材３０，３０Ａを配設してもよい。
【００６６】
また、本実施形態のシール部材３０，３０Ａは、両軸受型リ−ルにおける回転体（支軸）と支持部（軸周り部材）との間等おいても、好適に採用することができ、両軸受型リ−ルにおいても高い防水防塵性能を確保することができる。
【００６７】
また、前記実施形態では、リップ部３３が１つ設けられたものを示したが、リップ部３３を複数備えていてもよい。
【符号の説明】
【００６８】
１      リール本体
４      ハンドル軸（支軸）
８      ピニオン（軸周り部材）
９      スプール軸（支軸）
１１    ハウジング（軸周り部材）
３１    取付部
３２    延出部
３３    リップ部
３０    シール部材
３０Ａ  シール部材
【図１】
2014124155.tif 000003
【図２】
2014124155.tif 000004
【図３】
2014124155.tif 000005
【図４】
2014124155.tif 000006
【図５】
2014124155.tif 000007
【図６】
2014124155.tif 000008